(57)【要約】【課題】カセット式コインチューブはその一部が開閉可能で、この箇所を開放することで硬貨補充ができるようになっているが、硬貨補充し易い姿勢で水平な台等に置けるようにする。【解決手段】カセット式コインチューブを、背面側からの硬貨補充がし易いように、前面を下にし背面を上にした傾いた姿勢で水平な台等に置くことができるように、その前面側から支え部材が出るようにした。【選択図】図２
2013054412.tif 000002
【特許請求の範囲】
【請求項１】
硬貨処理装置本体に着脱可能で、
且つその裏面側の一部が硬貨補充時に開閉可能なカセット式コインチューブであって、
該カセット式コインチューブを、その前面が下になるように傾けた時に、該カセット式コインチューブの正面から外へ出る支え部材を設けたことを特徴とする
硬貨処理装置のカセット式コインチューブ。
【請求項２】
前記支え部材を、
前記カセット式コインチューブの前面中央部に設けたことを特徴とする
前記請求項１記載のカセット式コインチューブ。
【請求項３】
前記支え部材を、
前記カセット式コインチューブ側面側に設けたことを特徴とする
前記請求項１記載のカセット式コインチューブ。
【発明の詳細な説明】
【技術分野】
【０００１】
本発明は、自動販売機等に搭載する硬貨処理装置に備えられて、装置本体に脱着可能な硬貨収納装置に関し、特に当該硬貨収納装置に硬貨を補充し易くする技術に関するものである。
【背景技術】
【０００２】
自動販売機に搭載される硬貨処理装置の硬貨収納装置は、硬貨を金種毎に整列積載するための複数のコインチューブが並列し、各コインチューブ内の最下段の硬貨を１枚ずつ払い出すためのペイアウトスライドと、該ペイアウトスライドの動作基盤となりかつ前記複数のコインチューブの底部となるコインベースとで構成されている。
【０００３】
上記構成の硬貨収納装置は、硬貨処理装置本体に脱着可能であり、カセット式コインチューブと称されている。
【０００４】
特許文献１及び特許文献２には、硬貨処理装置に搭載するカセット式コインチューブの具体例が開示されている。そして特許文献３には、ラッチ手段を用いたカセット式コインチューブの脱着の具体例が開示されている。
【０００５】
特許文献１及び特許文献２に開示されているように、カセット式コインチューブはその背面側に複数のチューブに開放可能な蓋を備えていて、この蓋を開放することで硬貨補充がし易いようになっている。
【０００６】
特許文献３では、カセット式コインチューブ前面のオペレータ操作孔を介してラッチ手段に指を掛け、ラッチ手段を操作しながらカセット式コインチューブの脱着を行うことが記載されている。
【先行技術文献】
【特許文献】
【０００７】
【特許文献１】特開２０１０−１４６３１４号公報
【特許文献２】特開２０１０−６１６０９号公報
【特許文献３】特開２００２−６３６４０号公報
【０００８】
上記のように、硬貨補充は背面側の蓋を開けて行う。この時、カセット式コインチューブは手にのった状態や水平な台等に置かれた状態になる。
【０００９】
一方、カセット式コインチューブに収納される硬貨は金種毎であり、１０円硬貨が約１００枚、５０円硬貨が約８２枚、１００円硬貨が約７７枚、５００円硬貨が約７０枚の収納が可能である。これらの硬貨が収納された場合、硬貨重量は約１．７ｋｇになる。従って、この硬貨重量が硬貨補充者の手にかかることになる。
【発明の概要】
【発明が解決しようとする課題】
【００１０】
上記のような状況で、カセット式コインチューブを手で持って硬貨補充する場合には、硬貨重量が手にかかり、落下のおそれがある。また、カセット式コインチューブを水平な台に置いて硬貨補充する場合には、整列積載となるように硬貨を抑えておく必要があり、かつ硬貨補充後、水平に置かれた状態から持ち上げる時には、硬貨重量が指にかかって持ち上げ難い。
【００１１】
本発明で解決しようとする課題は、カセット式コインチューブへの硬貨補充を容易く行えるようにする点にある。
【課題を解決するための手段】
【００１２】
本発明は、カセット式コインチューブを、前面を下にして背面を上にしかつコインベースを下にした傾いた姿勢で水平な台等に置くことができるようにカセット式コインチューブを傾けた時に、前面から支え部材が突出することを最も主要な特徴とする。
【００１３】
上記の姿勢となるように、請求項１記載の発明は、硬貨処理装置本体に着脱可能で、且つその裏面側の一部が硬貨補充時に開閉可能なカセット式コインチューブであって、該カセット式コインチューブを、その前面が下になるように傾けた時に表面から突出する支え部材を設けたことを特徴とするものである。
【００１４】
また請求項２記載の発明は、請求項１記載の支え部材がカセット式コインチューブ前面中央部に設けたことを特徴とするものである。
【００１５】
また請求項３記載の発明は、請求項１記載の支え部材がカセット式コインチューブ側面側に設けたことを特徴とするものである。
【発明の効果】
【００１６】
本発明のカセット式コインチューブは、その背面側にある蓋を開けて硬貨を補充する作業がし易く、硬貨補充後は持ち上げ易いという利点がある。更に、硬貨処理装置本体に装着すると支え部材は前面から突出せず、装置本体から外す時には作業者の手にあたらないので、従前同様の装置本体への脱着作業に支障がない。
【図面の簡単な説明】
【００１７】
【図１】図１は、本発明の実施例１のカセット式コインチューブを硬貨処理装置本体に装着した状態を示した図である。
【図２】図２は、図１のカセット式コインチューブを前面を下にして傾けた時の状態を示した図である。
【図３】図３は、本発明の実施例２のカセット式コインチューブを硬貨処理装置本体に装着した状態を示した図である。
【図４】図4は、図３のカセット式コインチューブを前面を下にして傾けた時の状態を示した図である。
【発明を実施するための形態】
【００１８】
カセット式コインチューブへの硬貨補充を容易く行うという目的を、硬貨補充時にカセットチューブを傾かせ、硬貨補充し易い状態をつくることで実現した。
【実施例１】
【００１９】
図１は、カセット式コインチューブ前面中央部に支え部材を設けた実施例であり、このカセット式コインチューブ１を硬貨処理装置本体２に装着した時の状態を示す。
【００２０】
図１において、支え部材３はカセット式コインチューブ１の中央部に位置している。この中央部には、カセット式コインチューブ１を硬貨処理装置本体２から脱着する時に指を添える凹部４がある。この凹部４に指を入れ、更に凹部の上部にあるラッチ部５に指を掛けて、カセット式コインチューブ１の脱着を行うことが出来る。
【００２１】
図１における支え部材３は、前記凹部４の中央に位置するので、指が凹部４に入ることができるように、カセット式コインチューブ１が装置本体２に装着されている状態では、凹部４の奥の壁に沿って設けられていることになり、カセット式コインチューブ１の前面からは出ない。
【００２２】
図２は、図１のカセット式コインチューブ２を装置本体から外し、水平な台などに傾けて置いた状態を示す。
【００２３】
図２に示すように、カセット式コインチューブ１を前面側が下になるように傾けると、中央に位置する支え部材３は軸５を中心として自重によって搖動し、カセット式コインチューブ１の前面から出て、傾いたカセット式コインチューブ１を支える。
【００２４】
図２の状態では、カセット式コインチューブ１の背面が上になり、その背面側にあるリヤチューブを開くことで、チューブへの硬貨補充が可能である。そして、硬貨補充後、カセット式コインチューブ１をしっかりと持つことが出来、持ち上げることが容易になる。
【実施例２】
【００２５】
図３は、カセット式コインチューブ側面側に支え部材を設けた実施例であり、このカセット式コインチューブ１を硬貨処理装置本体２に装着した時の状態を示す。
【００２６】
図３において、支え部材６はカセット式コインチューブ１の側面に位置している。この位置であれば、カセット式コインチューブ１が装置本体２に装着されている状態で、カセット式コインチューブ１の姿勢に沿うことになり、カセット式コインチューブ１の前面からは出ない。
【００２７】
図４は、図３のカセット式コインチューブ２を装置本体から外し、水平な台などに傾けて置いた状態を示す。
【００２８】
図４に示すように、支え部材６は、実施例１の図１における支え部材３よりも長い支え部材にすることが出来、カセット式コインチューブ１の傾き角度を図２に示す角度よりも大きくすることが出来、更に硬貨補充を容易にすることができる。
【００２９】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００３０】
１    カセット式コインチューブ
２    硬貨処理装置本体
３    支え部材（カセット式コインチューブ中央部に設けた支え部材）
４    カセット式コインチューブ１の凹部（指かけ部）
５    カセット式コインチューブ１のラッチ部（指かけ部）
６    支え部材（カセット式コインチューブ１側面部に設けた支え部材）
【図１】
2013054412.tif 000003
【図２】
2013054412.tif 000004
【図３】
2013054412.tif 000005
【図４】
2013054412.tif 000006